(57)【特許請求の範囲】
【請求項１】
広帯域無線移動通信システムにおいて端末がスリープモード動作を行うための方法であって、前記方法は、
スリープモードに移行するためのスリープモード要求メッセージを基地局に送信することと、
前記スリープモード要求メッセージに応答して、スリープ周期情報を含むスリープモード応答メッセージを前記基地局から受信することと、
リッスン区間でトラフィック指示メッセージを前記基地局から受信することと、
前記トラフィック指示メッセージが肯定的なトラフィック指示を指示する場合に、前記スリープモード応答メッセージに含まれる前記スリープ周期情報に基づいて、現在のスリープ周期を決定することと
を含み、
前記スリープ周期情報は、前記現在のスリープ周期を以前のスリープ周期の２倍及び最後のスリープ周期のうち小さい値に拡張するか、又は前記現在のスリープ周期を、以前の初期スリープ周期あるいは前記スリープモード応答メッセージに含まれる新しい初期スリープ周期のいずれかにリセットするかを指示する情報であり、
前記スリープ周期情報は２ビットで表され、
前記スリープ周期情報が「０ｂ００」の値を有する場合には、前記スリープ周期情報は、前記現在のスリープ周期を前記以前の初期スリープ周期にリセットするように指示し、
前記スリープ周期情報が「０ｂ０１」の値を有する場合には、前記スリープ周期情報は、前記現在のスリープ周期を、前記以前のスリープ周期の２倍及び前記最後のスリープ周期のうち小さい値に拡張するように指示し、
前記スリープ周期情報が「０ｂ１０」の値を有する場合には、前記スリープ周期情報は、前記現在のスリープ周期を前記新しい初期スリープ周期にリセットするように指示する、方法。
【請求項２】
前記スリープ周期情報は、データトラフィック特性に応じて決定される、請求項１に記載の方法。
【請求項３】
広帯域無線移動通信システムにおいて端末がスリープモード動作を行うための方法であって、前記方法は、
スリープ周期情報を含む非要求スリープモード応答メッセージを基地局から受信することと、
リッスン区間でトラフィック指示メッセージを前記基地局から受信することと、
前記トラフィック指示メッセージが肯定的なトラフィック指示を指示する場合に、前記非要求スリープモード応答メッセージに含まれる前記スリープ周期情報に基づいて、現在のスリープ周期を決定することと
を含み、
前記スリープ周期情報は、前記現在のスリープ周期を以前のスリープ周期の２倍及び最後のスリープ周期のうち小さい値に拡張するか、又は前記現在のスリープ周期を、以前の初期スリープ周期あるいは前記非要求スリープモード応答メッセージに含まれる新しい初期スリープ周期のいずれかにリセットするかを指示する情報であり、
前記スリープ周期情報は２ビットで表され、
前記スリープ周期情報が「０ｂ００」の値を有する場合には、前記スリープ周期情報は、前記現在のスリープ周期を前記以前の初期スリープ周期にリセットするように指示し、
前記スリープ周期情報が「０ｂ０１」の値を有する場合には、前記スリープ周期情報は、前記現在のスリープ周期を、前記以前のスリープ周期の２倍及び前記最後のスリープ周期のうち小さい値に拡張するように指示し、
前記スリープ周期情報が「０ｂ１０」の値を有する場合には、前記スリープ周期情報は、前記現在のスリープ周期を前記新しい初期スリープ周期にリセットするように指示する、方法。
【請求項４】
前記スリープ周期情報は、データトラフィック特性に応じて決定される、請求項３に記載の方法。
【請求項５】
広帯域無線移動通信システムにおいてスリープモード動作を行うための端末であって、前記端末は、
スリープ要求メッセージを基地局に送信する送信部と、
スリープ周期情報を含むスリープ応答メッセージを受信し、リッスン区間でデータトラフィック指示メッセージを前記基地局から受信する受信部と、
前記データトラフィック指示メッセージが肯定的なトラフィック指示を指示する場合に、前記スリープ応答メッセージに含まれるスリープ周期情報に基づいて、現在のスリープ周期を調整する制御部と
を含み、
前記スリープ周期情報は、前記現在のスリープ周期を以前のスリープ周期の２倍及び最後のスリープ周期のうち小さい値に拡張するか、又は前記現在のスリープ周期を、以前の初期スリープ周期あるいは前記スリープ応答メッセージに含まれる新しい初期スリープ周期のいずれかにリセットするかを指示する情報であり、
前記スリープ周期情報は２ビットで表され、
前記スリープ周期情報が「０ｂ００」の値を有する場合には、前記スリープ周期情報は、前記現在のスリープ周期を前記以前の初期スリープ周期にリセットするように指示し、
前記スリープ周期情報が「０ｂ０１」の値を有する場合には、前記スリープ周期情報は、前記現在のスリープ周期を、前記以前のスリープ周期の２倍及び前記最後のスリープ周期のうち小さい値に拡張するように指示し、
前記スリープ周期情報が「０ｂ１０」の値を有する場合には、前記スリープ周期情報は、前記現在のスリープ周期を前記新しい初期スリープ周期にリセットするように指示する、端末。
【請求項６】
前記スリープ周期情報は、データトラフィック特性に応じて決定される、請求項５に記載の端末。
【請求項７】
前記スリープ応答メッセージは、非要求方式で受信される、請求項５に記載の端末。
【発明の詳細な説明】
【技術分野】
【０００１】
本発明は、スリープモード動作方法及び装置に関し、データトラフィック特性に応じてスリープ周期を調整することのできるスリープモード動作方法及び装置に関する。
【背景技術】
【０００２】
広帯域無線移動通信システムにおいては、端末の移動性を考慮するため、端末の電力消費問題が他のシステムに比べて非常に重要な要素となる。このように端末の電力消費を最小限に抑えるための方法の１つとして、端末と基地局間のスリープモード動作が提案されている。
【０００３】
従来、スリープモード動作は、端末がアクティブモードで基地局との通信を行っていて、基地局と送受信するトラフィックが存在しなくなると、スリープモードへの移行を要求し、それに対する応答を基地局から受信してスリープモードに状態変更することにより行われる。
【０００４】
スリープモードの状態に移行した端末は、スリープモードのリッスン区間で基地局からトラフィックが存在するか否かを示すメッセージを受信し、トラフィックがないという否定的な指示（ネガティブインジケーション）を受信すると、ダウンリンクで伝送されるデータトラフィックが存在しないと判断し、現在のスリープ周期を２倍に増加させる。
【０００５】
また、前記リッスン区間で基地局から肯定的な指示（ポジティブインジケーション）を受信すると、端末は、ダウンリンクで伝送されるデータトラフィックが存在すると判断し、現在のスリープ周期を初期化する。ここで、端末が受信できるデータトラフィックのタイプは、リアルタイムサービス又は非リアルタイムサービスであり、ショートメッセージなどの非リアルタイムサービスを受信する場合、端末が送受信するパケットデータは非周期性を有し、ＶｏＩＰ（Ｖｏｉｃｅ  ｏｎ  ＩＰ）などのリアルタイムサービスを受信する場合、端末が送受信するパケットデータは周期性を有するという特徴がある。
【０００６】
しかし、従来技術によれば、前記リッスン区間で基地局から肯定的な指示を受信すると、端末は受信するデータトラフィックのタイプに関係なく一律にスリープ周期を初期化するため、非周期的特性を有する非リアルタイムサービスを受信する場合もリアルタイムサービスを受信する場合と同様にスリープ周期を初期化することになるので、不要な電力消費が発生する。
【０００７】
つまり、端末が受信するサービスに応じてスリープモード動作が区分されていないため、端末の電力低減効果が大きくないという問題があった。
【発明の概要】
【発明が解決しようとする課題】
【０００８】
本発明は、スリープモード動作において端末が受信するデータトラフィックのタイプに応じてスリープ周期を調整することのできるスリープモード動作方法及び装置を提供することを目的とする。
【課題を解決するための手段】
【０００９】
上記目的を達成するための本発明の一実施形態によるスリープモード動作方法は、移動通信端末のスリープモード動作方法において、前記スリープモードに移行するためのスリープ周期情報を含むスリープモード要求メッセージを基地局に送信する段階と、前記基地局からスリープモード動作パラメータを含むスリープモード応答メッセージを受信する段階と、前記スリープモード動作パラメータに基づいて、前記スリープモードに状態変更する段階と、前記基地局から肯定トラフィック指示子を含むトラフィック指示メッセージを受信する段階と、前記スリープモード要求メッセージに含まれる前記スリープ周期情報に基づいて、現在のスリープ周期を調整する段階とを含み、前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とする。
【００１０】
上記目的を達成するための本発明の他の実施形態によるスリープモード動作方法は、移動通信端末のスリープモード動作方法において、基地局から肯定トラフィック指示子を含むトラフィック指示メッセージを受信する段階と、前記スリープモードのリッスン区間で、前記基地局からスリープ周期情報を含む制御情報メッセージを受信する段階と、前記制御情報メッセージに含まれる前記スリープ周期情報に基づいて、現在のスリープ周期を調整する段階とを含み、前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とする。
【００１１】
上記目的を達成するための本発明の一実施形態によるスリープモード動作装置は、スリープモード動作装置において、スリープ要求メッセージを基地局に送信する送信部と、前記基地局からスリープ動作パラメータを含むスリープ応答メッセージ及びデータトラフィック指示メッセージを受信する受信部と、スリープ周期情報に基づいて現在のスリープ周期を調整する制御部とを含み、前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とする。
【００１２】
本発明によれば、端末のスリープモード動作において、端末が受信するサービスに応じてスリープモード動作が区分されるため、端末の電力低減効果が最大化されるという効果が生じる。
本発明は、例えば、以下の項目を提供する。
（項目１）
移動通信端末のスリープモード動作方法において、
前記スリープモードに移行するためのスリープ周期情報を含むスリープモード要求メッセージを基地局に送信する段階と、
前記基地局からスリープモード動作パラメータを含むスリープモード応答メッセージを受信する段階と、
前記スリープモード動作パラメータに基づいて、前記スリープモードに状態変更する段階と、
前記基地局から肯定トラフィック指示子を含むトラフィック指示メッセージを受信する段階と、
前記スリープモード要求メッセージに含まれる前記スリープ周期情報に基づいて、現在のスリープ周期を調整する段階とを含み、
前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とするスリープモード動作方法。
（項目２）
前記スリープ周期情報は、２ビットで表されることを特徴とする項目１に記載のスリープモード動作方法。
（項目３）
移動通信端末のスリープモード動作方法において、
基地局からスリープ周期情報を含むスリープモード応答メッセージを受信する段階と、
前記スリープモード応答メッセージ内のスリープモード動作パラメータに基づいて、前記スリープモードに状態変更する段階と、
前記基地局から肯定トラフィック指示子を含むトラフィック指示メッセージを受信する段階と、
前記スリープモード応答メッセージに含まれる前記スリープ周期情報に基づいて、現在のスリープ周期を調整する段階とを含み、
前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とするスリープモード動作方法。
（項目４）
前記スリープモード応答メッセージは、スリープモード要求メッセージに対応するスリープモード応答メッセージ、又は非要求スリープモード応答メッセージであることを特徴とする項目３に記載のスリープモード動作方法。
（項目５）
前記スリープ周期情報は、２ビットで表されることを特徴とする項目３に記載のスリープモード動作方法。
（項目６）
移動通信端末のスリープモード動作方法において、
基地局から肯定トラフィック指示子を含むトラフィック指示メッセージを受信する段階と、
前記スリープモードのリッスン区間で、前記基地局からスリープ周期情報を含む制御情報メッセージを受信する段階と、
前記制御情報メッセージに含まれる前記スリープ周期情報に基づいて、現在のスリープ周期を調整する段階とを含み、
前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とするスリープモード動作方法。
（項目７）
前記制御情報メッセージは、スリープモード応答メッセージ、非要求スリープモード応答メッセージ、又はスリープ制御ヘッダ（ＳＣＨ）であることを特徴とする項目６に記載のスリープモード動作方法。
（項目８）
前記スリープ周期情報は、２ビットで表されることを特徴とする項目６に記載のスリープモード動作方法。
（項目９）
移動通信端末のスリープモード動作方法において、
前記スリープモードのリッスン区間で、スリープ周期情報を含む制御情報メッセージを基地局に送信する段階と、
前記制御情報メッセージに対応する応答メッセージを受信する段階と、
前記基地局から肯定トラフィック指示子を含むトラフィック指示メッセージを受信する段階と、
前記制御情報メッセージに含まれる前記スリープ周期情報に基づいて、現在のスリープ周期を調整する段階とを含み、
前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とするスリープモード動作方法。
（項目１０）
前記制御情報メッセージは、スリープモード要求メッセージ又はスリープ制御ヘッダ（ＳＣＨ）であることを特徴とする項目９に記載のスリープモード動作方法。
（項目１１）
前記スリープ周期情報は、２ビットで表されることを特徴とする項目９に記載のスリープモード動作方法。
（項目１２）
スリープモード動作装置において、
スリープ要求メッセージを基地局に送信する送信部と、
前記基地局からスリープ動作パラメータを含むスリープ応答メッセージ及びデータトラフィック指示メッセージを受信する受信部と、
スリープ周期情報に基づいて現在のスリープ周期を調整する制御部とを含み、
前記スリープ周期情報は、現在のスリープ周期を以前のスリープ周期の２倍及び最後のスリープ周期のうち小さい値に拡張するか、又は現在のスリープ周期を初期スリープ周期又は新たに初期化されるスリープ周期にリセットするように指示する情報であることを特徴とするスリープモード動作装置。
（項目１３）
前記スリープ周期情報は、非要求スリープ応答メッセージ又はスリープ制御ヘッダ（ＳＣＨ）に含まれて受信されることを特徴とする項目１２に記載のスリープモード動作装置。
（項目１４）
前記スリープ周期情報は、２ビットで表されることを特徴とする項目１２に記載のスリープモード動作装置。
【図面の簡単な説明】
【００１３】
本発明の理解を助けるために提供されて組み込まれ、本明細書の一部を構成する添付図面は、本発明の実施形態を示すと共に本発明の原理を説明する。
【図１】本発明の一実施形態によるスリープモード動作を順次示す構成図である。
【図２】一般的なスリープモード動作を示す図である。
【図３】ＳＣＦが０に設定されて端末に送信された場合にスリープ周期を初期スリープ周期にリセットすることを示す図である。
【図４】ＳＣＦが１に設定されて端末に送信された場合にスリープ周期を以前のスリープ周期の２倍に増加させることを示す図である。
【図５】本発明の一実施形態によるスリープモード動作装置を概略的に示すブロック図である。
【発明を実施するための形態】
【００１４】
以下、添付図面を参照して本発明の好ましい実施形態を詳細に説明するが、図面番号に関係なく同一又は類似の構成要素には同一の符号を付して重複する説明は省略する。また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面により本発明の思想が制限されるように解釈されてはならないことに留意すべきである。
【００１５】
以下、端末という用語が用いられるが、端末は、ＳＳ（Ｓｕｂｓｃｒｉｂｅｒ  Ｓｔａｔｉｏｎ）、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（Ｍｏｂｉｌｅ  Ｓｔａｔｉｏｎ）とも呼ばれる。また、端末は、携帯電話、ＰＤＡ、スマートフォン、ノートブックコンピュータなどのように通信機能を備えた携帯可能な機器でもよく、ＰＣ、車両搭載装置などのように携帯不可能な機器でもよい。
【００１６】
図１は、本発明の一実施形態によるスリープモード動作を順次示す構成図である。
【００１７】
端末は、ノーマルモード又はアクティブモードで基地局との通信を行っていて、基地局と送受信するトラフィックが存在しなくなると、スリープモードに移行するためのＳＬＰ−ＲＥＱ（Ｓｌｅｅｐ−Ｒｅｑｕｅｓｔ）メッセージを基地局に送信する（Ｓ１０１）。
【００１８】
基地局は、ＳＬＰ−ＲＥＱメッセージを端末から受信し、これに対する応答としてＳＬＰ−ＲＳＰ（Ｓｌｅｅｐ−Ｒｅｓｐｏｎｓｅ）メッセージを端末に送信する（Ｓ１０３）。
【００１９】
前記ＳＬＰ−ＲＳＰメッセージは、端末のスリープモード動作のためのスリープ周期（スリープモード周期）やリッスン区間などのスリープパラメータ（スリープモード動作パラメータ）を含む。
【００２０】
場合によっては、端末のスリープ要求メッセージ（Ｓ１０１）がなくても、基地局が直接非要求（ｕｎｓｏｌｉｃｉｔｅｄ）ＳＬＰ−ＲＳＰメッセージを端末に送信して、端末がスリープモードに移行するように命令することもできる。
【００２１】
基地局からＳＬＰ−ＲＳＰメッセージを受信した端末は、スリープ動作パラメータに基づいてスリープモードの状態に切り替えてスリープモード動作を行う。
【００２２】
前記スリープモードは、データ受信が不可能なスリープ区間（ｓｌｅｅｐ  ｗｉｎｄｏｗ；  ＳＷ）とデータ受信が可能なリッスン区間（ｌｉｓｔｅｎｉｎｇ  ｗｉｎｄｏｗ；  ＬＷ）とを含む。
【００２３】
スリープモードにおいて、基地局は、リッスン区間で、端末に送信するトラフィックが存在するか否かを示すために、ＴＲＦ−ＩＮＤ（Ｔｒａｆｆｉｃ−Ｉｎｄｉｃａｔｉｏｎ）メッセージを端末に送信する（Ｓ１０７）。
【００２４】
前記トラフィックが存在するか否かを示すＴＲＦ−ＩＮＤメッセージは、トラフィックが存在する場合に肯定的な指示が設定され、トラフィックが存在しない場合に否定的な指示が設定される。
【００２５】
もし、肯定的なＴＲＦ−ＩＮＤメッセージを受信した場合、端末は、発生するデータトラフィックをリッスン区間（ＬＷ）で送受信し（Ｓ１０９）、再びスリープ区間（ＳＷ）に移行してスリープモード動作を行う。
【００２６】
本発明においては、前記リッスン区間で肯定的な指示が設定されたＴＲＦ−ＩＮＤを受信した場合、端末がサービスを受けるトラフィックの特性に応じて異なるスリープ周期を適用できるように、スリープ周期情報が端末に送信される。
【００２７】
前記スリープ周期情報は、発生したデータトラフィックの特性に応じて、スリープ周期を以前のスリープ周期より拡張するか、又は初期スリープ周期にリセットするように指示する情報に該当する。
【００２８】
前記スリープ周期情報は、ＴＲＦ−ＩＮＤメッセージに含まれるスリープ周期フラグ（Ｓｌｅｅｐ  Ｃｙｃｌｅ  Ｆｌａｇ；  ＳＣＦ）フィールドのビット情報で構成されてもよく、場合によっては、ＳＬＰ−ＲＥＱ、ＳＬＰ−ＲＳＰ、非要求ＳＬＰ−ＲＳＰメッセージにより送信されるか、又はダウンリンクスリープ制御拡張ヘッダ（Ｄｏｗｎｌｉｎｋ  Ｓｌｅｅｐ  Ｃｏｎｔｒｏｌ  Ｅｘｔｅｎｄｅｄ  Ｈｅａｄｅｒ）により送信されてもよい。
【００２９】
図１は、前記スリープ周期情報が基地局から端末に送信されるＴＲＦ−ＩＮＤメッセージにより送信される場合（Ｓ１０７）と、前記スリープ周期情報が非要求ＳＬＰ−ＲＳＰメッセージにより送信される場合（Ｓ１１５）をそれぞれ示す。
【００３０】
端末は、ＴＲＦ−ＩＮＤメッセージや非要求ＳＬＰ−ＲＳＰメッセージなどにより送信されるスリープ周期情報を確認して、スリープ周期（Ｓｌｅｅｐ  Ｃｙｃｌｅ；  ＳＣ）を端末自身が送受信するデータトラフィックの特性に応じて調整することにより、さらに効率的なスリープモード動作を行う。
【００３１】
例えば、基地局が端末にダウンリンク制御メッセージ又はショートメッセージのみを送信する場合、基地局は、端末に肯定的なトラフィック指示を送信してトラフィックが発生することを示し、その後送信する制御メッセージ又はショートメッセージにＳＣＦ値が含まれるダウンリンクスリープ制御拡張ヘッダを付加して端末に送信することができる。
【００３２】
以下、前記スリープ周期情報がＳＣＦフィールドのビット情報で構成されてＴＲＦ−ＩＮＤメッセージにより端末に送信されることを代表的な例としてスリープモード動作を説明する。
【００３３】
図２は、一般的なスリープモード動作を示す図である。
【００３４】
端末は、ノーマルモードの状態で送受信するデータトラフィックが存在しなくなると、スリープモードへの移行を要求するＳＬＰ−ＲＥＱメッセージを基地局に送信し（Ｓ１０１）、基地局からスリープ周期やリッスン区間などのスリープ動作パラメータ（スリープパラメータ）を含むＳＬＰ−ＲＳＰメッセージを受信し（Ｓ１０３）、スリープモードに状態変更する。
【００３５】
端末は、最初にスリープモードに状態変更する際に、スリープ区間（ＳＷ１）のみを含むスリープ周期（ＳＣ１）を適用してスリープモードを動作させる。最初のスリープ周期（ＳＣ１）が終了した後、２番目のスリープ周期からは、リッスン区間（ＬＷ２）及びスリープ区間（ＳＷ２）を含むスリープ周期（ＳＣ２）を適用してスリープモードを動作させる。
【００３６】
２番目のスリープ周期（ＳＣ２）において、端末は、リッスン区間（ＬＷ２）で基地局から否定的な指示を含むＴＲＦ−ＩＮＤメッセージを受信すると（Ｓ１０５）、ダウンリンクで伝送されるデータトラフィックが存在しないと判断し、現在のスリープ周期を２倍に増加させる。
【００３７】
２倍に増加したスリープ周期（ＳＣ２）が終了した後、端末は、次のスリープ周期（ＳＣ３）のリッスン区間（ＬＷ３）で肯定的な指示を含むＴＲＦ−ＩＮＤメッセージを受信すると（Ｓ１０７）、発生したデータトラフィックを受信できるように、リッスン区間を拡張（ＥＬＷ３）して基地局からデータトラフィックを受信し、再びスリープ区間（ＳＷ３）に移行してスリープモード動作を行う。ここで、３番目のスリープ周期（ＳＣ３）は、図示のように、リッスン区間（ＬＷ３）、拡張されたリッスン区間（ＥＬＷ３）、及びスリープ区間（ＳＷ３）を含み、初期スリープ周期（ＳＣ１）に初期化（リセット）される。
【００３８】
図１を参照して前述したように、本発明においては、端末がリッスン区間（ＬＷ３）で肯定的な指示が設定されたＴＲＦ−ＩＮＤを受信した場合（Ｓ１０７）、現在適用するスリープ周期を常に初期スリープ周期にリセットするのではなく、端末がサービスを受けるトラフィックの特性に応じて異なるスリープ周期を適用できるようにスリープ周期を調整する。
【００３９】
本発明の一実施形態によれば、基地局が端末に送信するＴＲＦ−ＩＮＤメッセージにスリープ周期を調整するためのＳＣＦフィールドを追加することにより、端末が適用するスリープ周期を基地局が指示するようにする。
【００４０】
すなわち、基地局から端末に送信するトラフィックが発生した場合、リッスン区間で肯定的な指示を含むＴＲＦ−ＩＮＤメッセージを送信し、このとき、端末がサービスを受けるトラフィックの特性に応じて異なるスリープ周期を適用できるように、ＳＣＦフィールドが含まれて端末に送信される。
【００４１】
以下、本発明の一実施形態によるＴＲＦ−ＩＮＤメッセージのＳＣＦフィールドについて下記表１を参照して説明する。
【００４２】
【表１】
0005721708.tif 000002
ＴＲＦ−ＩＮＤ（肯定的な指示設定）においてＳＣＦフィールドが０に設定された場合、端末は、現在のスリープ周期として初期スリープ周期を適用してスリープモードを動作させる。
【００４３】
それに対して、ＴＲＦ−ＩＮＤ（肯定的な指示設定）においてＳＣＦフィールドが１に設定された場合、端末は、現在のスリープ周期を以前のスリープ周期の２倍に増加させてスリープモードを動作させる。
【００４４】
前記ＳＣＦフィールドが１に設定される場合には、例えばショートメッセージ又は制御メッセージなどの非周期性メッセージのみがリッスン区間で送信される場合が該当する。
【００４５】
端末が、非周期的特性を有する非リアルタイムデータトラフィックを受信する場合も、周期的特性を有するリアルタイムデータトラフィックを受信する場合と同様にスリープモード動作を初期スリープ周期にリセットすると、スリープモード動作における端末の電力低減効果が少なくなる。
【００４６】
よって、端末に受信されるパケットバーストが周期的特性を有する場合、基地局は、ＳＣＦビットを０に設定し、端末にＴＲＦ−ＩＮＤ（肯定的な指示）を送信することができる。すると、端末は、スリープモードを初期化する際に、スリープ周期をＳＬＰ−ＲＥＱ／ＲＳＰによりネゴシエートした値である初期スリープ周期にリセットしてスリープモードを適用する。そして、パケットバーストが非周期的特性を有する場合、基地局は、ＳＣＦビットを１に設定し、端末にＴＲＦ−ＩＮＤ（肯定的な指示）を送信することができ、端末は、スリープ周期として以前のスリープ周期の２倍及び最後のスリープ周期のうち小さい値を適用してスリープモードを動作させる。
【００４７】
図３は、ＳＣＦが０に設定されて端末に送信された場合にスリープ周期を初期スリープ周期にリセットすることを示す実施形態である。
【００４８】
同図に示すように、端末は、２番目のスリープ周期（ＳＣ２）のリッスン区間（ＬＷ２）で基地局から否定的な指示を受信し（Ｓ１０５）、ダウンリンクで受信されるデータトラフィックが存在しないと判断し、現在のスリープ周期（ＳＣ２）を以前のスリープ周期（ＳＣ１）の２倍に増加させる。
【００４９】
その後、次の３番目のスリープ周期（ＳＣ３）のリッスン区間（ＬＷ３）で基地局から肯定的な指示を受信すると（Ｓ１０７）、基地局から送信されるスリープ周期情報であるＳＣＦフィールドが０に設定されたことを確認し、スリープ周期（ＳＣ３）を次の数式のように初期スリープ周期（ＳＣ１）にリセットする。
【００５０】
【数１】
0005721708.tif 000003
ここで、基地局から送信されるトラフィックは、拡張されたリッスン区間（ＥＬＷ）で受信し（Ｓ１０９）、前記トラフィックは、周期的特性を有するリアルタイムデータトラフィックに該当する。
【００５１】
図４は、ＳＣＦが１に設定されて端末に送信された場合にスリープ周期を以前のスリープ周期の２倍に増加させることを示す実施形態である。
【００５２】
前述したように、端末は、２番目のスリープ周期（ＳＣ２）のリッスン区間（ＬＷ２）で基地局から否定的な指示を受信し（Ｓ１０５）、ダウンリンクで受信されるデータトラフィックが存在しないと判断し、現在のスリープ周期（ＳＣ２）を以前のスリープ周期（ＳＣ１）の２倍に増加させる。
【００５３】
その後、次の３番目のスリープ周期（ＳＣ３）のリッスン区間（ＬＷ３）で基地局から肯定的な指示を受信すると（Ｓ１０７）、基地局から送信されるスリープ周期情報であるＳＣＦフィールドが１に設定されたことを確認し、スリープ周期（ＳＣ３）を次の数式のように以前のスリープ周期（ＳＣ２）の２倍に拡張する。
【００５４】
【数２】
0005721708.tif 000004
ここで、基地局から送信されるトラフィックは、拡張されたリッスン区間（ＥＬＷ）で受信し（Ｓ１０９）、前記トラフィックは、非周期的特性を有する非リアルタイムデータトラフィックに該当する。
【００５５】
また、本発明の他の実施形態によれば、ＴＲＦ−ＩＮＤメッセージにより送信されるＳＣＦフィールドは、下記表２のように２ビット情報で表されるようにしてもよい。
【００５６】
【表２】
0005721708.tif 000005
表２を参照すると、ＳＣＦフィールドのビット情報が０ｂ００の場合は、現在のスリープ周期を初期スリープ周期にリセットするように指示し、ビット情報が０ｂ０１の場合は、現在のスリープ周期を以前のスリープ周期の２倍に拡張するように指示する。また、ビット情報が０ｂ１０の場合は、現在のスリープ周期を新しい初期スリープ周期に新たにリセットするように指示する。
【００５７】
従って、基地局は、リッスン区間で端末にショートメッセージのみを送信するか、又は制御メッセージのみを送信すべき場合、端末に肯定的なトラフィック指示を送信し、その後、ＴＲＦ−ＩＮＤメッセージ又は非要求ＳＬＰ−ＲＳＰメッセージによりＳＣＦを０ｂ０１に設定し、現在のスリープ周期長に以前のスリープ周期の２倍に増加させた値を適用することができる。
【００５８】
前記ＳＣＦは、ＴＲＦ−ＩＮＤメッセージだけでなく、ＳＬＰ−ＲＥＱ、ＳＬＰ−ＲＳＰ、非要求ＳＬＰ−ＲＳＰ、又はダウンリンクスリープ制御拡張ヘッダにより送信することもできる。
【００５９】
下記表３は、ダウンリンクスリープ制御拡張ヘッダによりＳＣＦ値が送られることを示す実施形態である。基地局は、端末にダウンリンク制御メッセージ又はショートメッセージのみを送信する場合、端末に肯定的なトラフィック指示を送信し、その後送信する制御メッセージ又はショートメッセージにＳＣＦ値が含まれるダウンリンクスリープ制御拡張ヘッダを付加して端末に送信することができる。
【００６０】
【表３】
0005721708.tif 000006
下記表４は、ＳＬＰ−ＲＥＱによりＳＣＦ値が送られることを示す実施形態である。
【００６１】
【表４−１】
0005721708.tif 000007
【００６２】
【表４−２】
0005721708.tif 000008
下記表５は、ＳＬＰ−ＲＳＰによりＳＣＦ値が送られることを示す実施形態である。
【００６３】
【表５−１】
0005721708.tif 000009
【００６４】
【表５−２】
0005721708.tif 000010
図５は、本発明の一実施形態によるスリープモード動作装置を概略的に示すブロック図である。
【００６５】
同図に示すように、スリープモード動作装置は、スリープモードに移行するためのスリープ要求メッセージを基地局に送信する送信部５０１と、基地局からスリープ動作パラメータが含まれるスリープ応答メッセージ及びデータトラフィック発生指示メッセージを受信する受信部５０３と、スリープ動作パラメータに基づいてスリープモードに状態変更する制御部５０５とを含む。
【００６６】
制御部５０５は、基地局からのスリープ周期情報に基づいて、スリープ周期を以前のスリープ周期より拡張するか、又は初期スリープ周期にリセットすることでスリープ周期を調整する。
【００６７】
基地局からのスリープ周期情報は、前述したように、スリープ要求メッセージ（ＳＬＰ−ＲＥＱ）、スリープ応答メッセージ（ＳＬＰ−ＲＳＰ）、データトラフィック発生指示メッセージ（ＴＲＦ−ＩＮＤ）、非要求スリープ応答メッセージ（ＳＬＰ−ＲＳＰ）、又はダウンリンクスリープ制御拡張ヘッダにより送信することができる。
【００６８】
基地局は、発生するデータトラフィックがリアルタイムサービスの場合、スリープ周期を初期スリープモードにリセットするように指示し、発生するデータトラフィックが非リアルタイムサービスの場合、スリープ周期を以前のスリープ周期の２倍に拡張するように指示し、制御部５０５は、前記スリープ周期情報に基づいてスリープ周期を調整し、スリープモード動作を行う。
【００６９】
以上説明した本発明による方法は、ソフトウェア、ハードウェア、又はそれらの組み合わせとして実現されてもよい。例えば、本発明による方法は、記憶媒体（例えば、端末の内部メモリ、フラッシュメモリ、ハードディスクなど）に保存することができ、プロセッサ（例えば、端末の内部マイクロプロセッサ）により実行されるソフトウェアプログラム内にコード又はコマンドで実現することができる。
【００７０】
以上、本発明の好ましい実施形態を例に説明したが、本発明の範囲はこれらの特定の実施形態に限定されるものではないので、本発明は本発明の思想及び請求の範囲に記載された範疇内において様々な形態に修正、変更又は改善することができる。
【図１】
0005721708.tif 000011
【図２】
0005721708.tif 000012
【図３】
0005721708.tif 000013
【図４】
0005721708.tif 000014
【図５】
0005721708.tif 000015